(57)【特許請求の範囲】
【請求項１】
上板部と下板部を有する支持アームの後端に取付板が設けられ、支持アームの先端に軒樋の前耳を支持する前耳支持部が設けられ、支持アームの後部又は取付板の前面に軒樋の後耳を支持する後耳支持部が設けられた軒樋支持具であって、
上記支持アームは両側部に張出し片を有し、この張出し片は支持アームの下板部の途中から取付板まで形成され、かつ、取付板から前方もしくは前方斜め下向きに突き出して、前端に向かって先細り形状に形成されており、上記取付板の下端に、前方斜め下向きに傾斜した水切り縁が形成されていることを特徴とする軒樋支持具。
【請求項２】
前記張出し片の前端が、前方斜め下向きに傾斜する前記支持アームの傾斜部分の下板部の両側部に位置していることを特徴とする請求項１に記載の軒樋支持具。
【請求項３】
前記張出し片の外側端に立上り縁が形成されていることを特徴とする請求項１又は請求項２に記載の軒樋支持具。
【発明の詳細な説明】
【技術分野】
【０００１】
本発明は軒樋支持具に関し、更に詳しくは、支持アームに降りかかる雨を軒樋に導入する張出し片が形成されているにも拘わらず、電動ドライバーを用いて軒先に容易にビス止めすることができる施工性の良い軒樋支持具に関する。
【背景技術】
【０００２】
従来より、構造の異なる種々の軒樋支持具が提案されているが、その一つとして、取付部と、該取付部から屋外側に突設された支持腕と、該支持腕の屋外側に設けられた屋外側耳保持部と、該屋外側耳保持部より屋内側に設けられた屋内側耳保持部と、上記支持腕の屋内側に上下左右に突出して設けられた板体とからなる軒樋支持具が知られている（特許文献１）。
【０００３】
この軒樋支持具は、その作用効果について、支持腕の屋内側に上下左右に突出した板体が設けられているから、雨水が多くなり、支持腕の上面や横面を屋内方向に流れていっても、上下左右に突出した板体を雨水は乗り越えることができず、従って、雨水が屋内方向に流れていって軒先を濡らすことがない、と記載されている。
【先行技術文献】
【特許文献】
【０００４】
【特許文献１】特開平９−３１７１０６号公報
【発明の概要】
【発明が解決しようとする課題】
【０００５】
しかしながら、上記特許文献１の軒樋支持具のように、支持腕の屋内側に板体が上下左右に突出して設けられていると、電動ドライバーを用いて軒樋支持具の取付部をビスで軒先に取付ける際に、電動ドライバーのチャック部が板体と干渉してビス止め作業がし辛くなり、施工性が低下するという問題があった。
【０００６】
本発明は上記事情の下になされたもので、その解決しようとする課題は、支持アームに降りかかる雨水を軒樋に導入する張出し片が形成されているにも拘わらず、電動ドライバーを用いて軒先に取付板を容易にビス止めすることができる、施工性の良い軒樋支持具を提供することにある。
【課題を解決するための手段】
【０００７】
上記課題を解決するため、本発明に係る軒樋支持具は、上板部と下板部を有する支持アームの後端に取付板が設けられ、支持アームの先端に軒樋の前耳を支持する前耳支持部が設けられ、支持アームの後部又は取付板の前面に軒樋の後耳を支持する後耳支持部が設けられた軒樋支持具であって、上記支持アームは両側部に張出し片を有し、この張出し片は支持アームの下板部の途中から取付板まで形成され、かつ、取付板から前方もしくは前方斜め下向きに突き出して、前端に向かって先細り形状に形成されており、上記取付板の下端に、前方斜め下向きに傾斜した水切り縁が形成されていることを特徴とするものである。
【０００８】
本発明の軒樋支持具においては、前記張出し片の前端が、前方斜め下向きに傾斜する前記支持アームの傾斜部分の下板部の両側部に位置していることが好ましく、また、前記張出し片の外側端に立上り縁が形成されていることも好ましい。
【発明の効果】
【０００９】
本発明の軒樋支持具のように、上板部と下板部を有する支持アームが両側部に張出し片を有し、この張出し片が支持アームの下板部の途中から取付板まで形成され、かつ、取付板から前方もしくは前方斜め下向きに突き出して形成されていると、支持アームに降りかかってその両側部を流れ落ちる雨水や、取付板の前面を流れ落ちる雨水が、張出し片によって受止められ、張出し片の上面を流れてその前端から軒樋の内部に導入されるため、支持アーム後部からの雨水の落下を防止することができる。しかも、この張出し片は前端に向かって先細り形状に形成されているため、電動ドライバーを用いて取付板を軒先にビス止めする際に、電動ドライバーのチャック部が張出し片と干渉しなくなり、容易に取付板のビス止め作業を行えるので、施工性が良好である。
【００１０】
そして、張出し片の前端が、前方斜め下向きに傾斜する支持アームの傾斜部分の下板部の両側部に位置していると、張出し片の前端から軒樋の内部へ導入される雨水の水切り性能が向上し、更に、張出し片の外側端に立上り縁が形成されていると、張出し片の外側端から雨水が落下することなく、確実に張出し片の前端から雨水を軒樋へ導入できる利点がある。
【図面の簡単な説明】
【００１１】
【図１】本発明の一実施形態に係る軒樋支持具の斜視図である。
【図２】同軒樋支持具の正面図である。
【図３】同軒樋支持具の平面図である。
【図４】同軒樋支持具の側面図である。
【図５】同軒樋支持具の底面図である。
【図６】同軒樋支持具の背面図である。
【図７】（ａ）は図３のＡ−Ａ線切断端面図、（ｂ）は図３のＢ−Ｂ線切断端面図である。
【図８】本発明の他の実施形態に係る軒樋支持具の側面図である。
【図９】本発明の更に他の実施形態に係る軒樋支持具の概略部分斜視図である。
【図１０】本発明の更に他の実施形態に係る軒樋支持具の概略部分斜視図である。
【図１１】本発明の更に他の実施形態に係る軒樋支持具の概略部分斜視図である。
【発明を実施するための形態】
【００１２】
図１〜図７に示す実施形態の軒樋支持具は、ポリカーボネートなどの熱可塑性合成樹脂で一体成形されたものであって、全体的に少し凹曲した支持アーム１の後端には、方形の取付板２が垂直に形成されている。この支持アーム１は、帯状の上板部１ａと下板部１ｂの間に太い縦リブ部１ｃを該板部１ａ，１ｂの中心線に沿って形成したものであって、図７の（ｂ）に示すような「横Ｈ形」の断面形状を有しており、上板部１ａと下板部１ｂは先端部に近づくにつれて互いに接近し先端部で合体している。そして、支持アーム１の中央部における上板部１ａと下板部１ｂの間には、縦リブ部１ｃとクロスする補強用の横リブ部１ｄが形成されている。
【００１３】
この支持アーム１の先端には、図４に示すように、軒樋１０の前耳１０ａを内側下方から係合支持する鉤形の前耳支持部３が上向きに突設されており、また、支持アーム１の先端部の下面には、軒樋の前耳１０ａが浮き上がって前耳支持部２から外れることのないように前耳１０ａの下側の段部１０ｂを押える凸部３ａが形成されている。そして、支持アーム１の上板部１ａの先端寄りの上面には水糸係止突起４が上向きに突設されており、軒樋支持具を軒先に取付ける際に水糸を上記突起４に係止させて一定の勾配を付けることができるようになっている。
【００１４】
一方、支持アーム１の後部における下板部１ｂの下面には、軒樋１０の後耳１０ｃを内側下方から係合支持するＬ形の側面形状を備えた後耳支持部５が形成されており、この後耳支持部５より後側の下板部１ｂと取付板２とのコーナー部分には、補強の役目と後耳１０ｃの外れ防止の役目を兼ね備えたリブ６が形成されている。このリブ６は、軒樋１０の後耳１０ｃを後耳支持部５に挿入しやすくするために、その上部前面から上端裏面に至る部分が滑らかな凹曲面に形成されている。
【００１５】
取付板２は、図１、図４に示すように、上部が厚肉化されて強度が高められており、この厚肉化された上部の中央から支持アーム１が前方に向かって突き出している。そして、図１、図２に示すように、取付板２の左上コーナー部と右上コーナー部と下端部中央には、合計３つのビス挿通孔２ａが形成されており、これらのビス挿通孔２ａからビスを軒先の鼻隠し板２０にねじ込むことによって、取付板２が軒先に取付けられるようになっている。この取付板２の上面は、図１、図４に示すように、支持アーム１の上面（上板部１ａの上面）の後端や、後述する張出し片７，７の上面の後端よりも、一段高くなっており、支持アーム１の上面に降りかかった雨水や、張出し片７，７に受け止められた雨水が、取付板２の上面を乗り越えて軒先の鼻隠し板２０を濡らすことがないようになっている。
【００１６】
図１、図４に示すように、この取付板２の下面は前方斜め下向きに傾斜した傾斜面とされており、これによって取付板２の下端に水切り縁２ｂが形成されている。また、この取付板２の後面には、図６に示すように、樹脂量を節約するための凹部２ｃ，２ｄ，２ｄ，２ｅ，２ｅが形成されているが、左上コーナー部と右上コーナー部のそれぞれのビス挿通孔２ａ，２ａから亀裂ができたり割れたりすることがないように、凹部２ｄ，２ｄのビス挿通孔に近い隅部を内側へ凹入させた形状として、ビス挿通孔２ａ，２ａとの間隔を大きく保っている。
【００１７】
この軒樋支持具の大きい特徴は、図２、図３に示すように、支持アーム１の両側部から左右に張り出した張出し片７，７を有するところにある。更に具体的に説明すると、この張出し片７，７は、支持アーム１の後部において、図１に示すように下板部１ｂの途中から上板部１ａの後端まで後方斜め上向きに傾斜して形成された中板部１ｅより、左右両外側に張り出して設けられたものであって、図１〜図４に示すように、この張出し片７，７は取付板２から前方斜め下向きに突き出し、前端に向かって先細りの直角三角形状に形成されている。張出し片７と中板部１ｅとの明確な境界線は存在しないが、図７の（ａ）に示すように、支持アーム１の上板部１ａの両側端より左右外側に張り出している部分が張出し片７，７であり、上板部１ａの両側端より内側の部分が中板部１ｅである。
【００１８】
上記張出し片７，７は、支持アーム１に降りかかって流れ落ちる雨水を受け止め軒樋１０の内部に導入する役目を果たすものであるため、図４に示すように、軒樋１０の後耳１０ｃを越えて軒樋１０の内側まで突き出している。そして、この張出し片７の前端７ａは、支持アーム１の前方斜め下向きに傾斜する傾斜部分の下板部１ｂの両側部に位置し、前端７ａの高さが軒樋１０の後耳１０ｃの上面とほぼ同じ高さ、もしくはそれより低い高さとなっている。このため、雨水を張出し片７の前端から確実に軒樋１０の内部に導入することができ、しかも、良好な水切り性能を発揮することができるようになっている。尚、必要とあらば、張出し片７の前端７ａに水切り突起（不図示）を下向きに突設して、水切り性能を更に高めるようにしてもよく、また、張出し片７をその前端７ａが支持アーム１の下板部１ｂより更に下方に突き出すように形成して、水切り性能を更に高めるようにしてもよい。
【００１９】
張出し片７の最大張出し寸法（張出し片７の後端の張出し寸法）は特に限定されるものではなく、取付板２の左上コーナー部及び右上コーナー部のそれぞれのビス挿通孔２ａ，２ａとの間に適当なクリアランス、通常、５〜９ｍｍ程度のクリアランスを確保できる程度の張出し寸法とすればよいが、張出し片７の雨水導入機能を考慮すると、最大張出し寸法を２〜１０ｍｍ、なかんずく、３〜８ｍｍ程度に設定することが好ましい。
【００２０】
以上のような構成の軒樋支持具は、図３、図４に示すように、取付板２を軒先の鼻隠し板２０に当てがい、電動ドライバー３０を用いて、図３に示すようにビス４０を取付板２のビス挿通孔２ａから鼻隠し板２０にねじ込むことによって取付けられる。そして、支持アーム１先端の前耳支持部３に軒樋１０の前耳１０ａを支持させると共に、支持アーム１後部の後耳支持部５に軒樋１０の後耳１０ｃを支持させることによって、軒樋１０が取付けられる。
【００２１】
この軒樋支持具は、上記のように電動ドライバー３０を用いて取付板２をビス止めしても、支持アーム１の後部の張出し片７，７が前端に向かって先細りの直角三角形状に形成されているため、図３に示すように、電動ドライバー３０のチャック部３０ａが張出し片７と干渉しなくなる。従って、取付板２のビス止め作業を容易かつ効率良く行うことができるので、施工性が良好である。しかも、この軒樋支持具は、支持アーム１に降りかかって流れ落ちる雨水が張出し片７，７によって受止められ、張出し片７，７の上面を流れてその前端７ａから軒樋１０の内部に確実に落下、導入されるため、支持アーム１の後部から雨水が地面へ落下するのを防止することができ、また、支持アーム１に降りかかった雨水や、張出し片７，７に受け止められた雨水が、取付板２の一段高い上面を乗り越えて鼻隠し板２０を濡らす心配もない。
【００２２】
図１〜図７に示す実施形態の軒樋支持具は、支持アーム１の後部の下面（下板部１ｂの下面）に後耳支持部５を設けたものであるが、図８に示す実施形態の軒樋支持具のように、取付板２の前面に、軒樋１０の後耳１０ｃを外側下方から係合支持する後耳支持部５０を設けると共に、後耳１０ｃが後耳支持部５０から外れるのを防止するための突片５１を、支持アーム１の後部下面（下板部１ｂの下面）から下向きに突設するように構成してもよい。上記の突片５１は、軒樋１０の後耳１０ｃを後耳支持部５０に挿入しやすくするために、その後面から上端裏面に至る部分が滑らかな凹曲面に形成されている。
【００２３】
この図８に示す軒樋支持具の他の構成は、前述した図１〜図７の軒樋支持具のそれと同様であるので、図８において対応する部材に対応する符号を付し、重複する説明を省略する。
【００２４】
図１〜図７に示す実施形態の軒樋支持具の張出し片７は、支持アーム１の後部の中板部１ｅから左右外側に張り出して形成されているが、図９に示すように、支持アーム１の後部の下板部１ｂから左右外側に張り出して形成してもよく、また、図１０、図１１に示すように、支持アーム１の両側面から左右外側に張り出して形成してもよい。要するに、張出し片７は、支持アーム１の後部の両側部から張り出して形成されていればよいのである。
【００２５】
また、図１〜図７に示す軒樋支持具の張出し片７や、図９、図１０に示す張出し片７は、いずれも取付板２から前方斜め下向きに突き出して先細り形状に形成されているが、図１１に示す張出片７のように取付板２から前方（前方水平）に突き出して先細り形状に形成してもよい。
【００２６】
更に、図１〜図７に示す軒樋支持具の張出し片７や、図９、図１０に示す張出し片７は、いずれも前端に向かって先細りの直角三角形状に形成されているが、図１１に示す張出し片７のように前端に向かって先細りの台形状に形成してもよく、また、これらの直角三角形状や台形状の張出し片７の外側辺（外側端）が内側に凹曲した形状の張出し片としてもよい。要するに、張出し片７の形状は、雨水を受け止めて前端から軒樋内へ落下、導入でき且つ電動ドライバーと干渉しない先細り形状であればよいのである。尚、先細り形状であっても、外側辺が外側に凸曲した先細り形状の張出し片は、凸曲した外側辺が電動ドライバーのチャック部と干渉することがあるので好ましくない。
【００２７】
張出し片７の後端は、図１〜図７の実施形態や図８の実施形態のように、支持アーム１の上面の後端と同じ高さとしてもよいし、図９〜図１１の実施形態のように、支持アーム１の上面の後端より低くしてもよい。後者のように、張出し片７の後端を低くすると、支持アーム１の後部から流れ落ちる雨水だけでなく、取付板２の前面を流れ落ちる雨水も張出し片７で受け止めて、軒樋１０の内部へ導入できる利点がある。
【００２８】
また、図１１に示すように、張出し片７の外側端（外側辺）には立上り縁７ｂを形成することが好ましい。このような立上り縁７ｂが形成されていると、張出し片７の外側端から雨水が落下することなく、確実に張出し片７の前端７ａから雨水を軒樋へ導入できる利点がある。立上り縁７ａの高さは１〜１０ｍｍ程度であり、好ましくは２〜５ｍｍである。
【符号の説明】
【００２９】
１    支持アーム
２    取付板
２ａ  ビス挿通孔
３    前耳支持部
４    水糸係止突起
５，５０    後耳支持部
７    張出し片
７ａ  前端
７ｂ  立上り縁
１０  軒樋
１０ａ  前耳
１０ｃ  後耳
２０  軒先の鼻隠し板
３０  電動ドライバー
３０ａ  チャック部
４０  ビス
【図１】
0005472981.tif 000002
【図２】
0005472981.tif 000003
【図３】
0005472981.tif 000004
【図４】
0005472981.tif 000005
【図５】
0005472981.tif 000006
【図６】
0005472981.tif 000007
【図７】
0005472981.tif 000008
【図８】
0005472981.tif 000009
【図９】
0005472981.tif 000010
【図１０】
0005472981.tif 000011
【図１１】
0005472981.tif 000012